(57)【要約】      （修正有）【課題】所望の構図で印象的な動画を撮影することができる撮像装置を提供する。【解決手段】撮像素子１２と、前記撮像素子からの画像を表示する表示部２０と、フォーカシングレンズ６を、第１のフォーカス位置から第２のフォーカス位置に、または第２のフォーカス位置から第１のフォーカス位置に移動させた動画像データを作成する動画像データ作成部１０と、特定被写体を特定する特定被写体特定部１４と、前記特定被写体の撮影画面内における存在位置を検知する検知部１４と、該撮像装置の姿勢を検出する姿勢検出部１６と、前記姿勢検出部により前記姿勢に変化が検出された場合には、当該姿勢変化により生じる前記特定被写体の存在位置のずれを検出するずれ検出部１０と、前記ずれ検出部により検出された前記ずれに関する情報を画像上に表示する表示制御部２２とを備える。【選択図】図１
2012195804.tif 000002
【特許請求の範囲】
【請求項１】
フォーカシングレンズを含む撮影光学系を介した被写体光を撮像する撮像素子と、
前記撮像素子からの撮像信号に基づくスルー画像を表示する表示部と、
前記フォーカシングレンズを、第１のフォーカス位置と第２のフォーカス位置との間で移動制御する移動制御部と、
前記移動制御部により、前記フォーカシングレンズを前記第１のフォーカス位置から前記第２のフォーカス位置に、または前記第２のフォーカス位置から前記第１のフォーカス位置に移動させた動画像データを前記撮像素子からの撮像信号に基づいて作成する動画像データ作成部と、
前記動画像データ作成部により作成された動画像データを記録させる記録制御部と、
前記表示部に表示されているスルー画像から特定被写体を特定する特定被写体特定部と、
前記表示部に表示されている前記特定被写体の撮影画面内における存在位置を検知する検知部と、
該撮像装置の姿勢を検出する姿勢検出部と、
前記姿勢検出部により前記姿勢に変化が生じていることが検出された場合には、当該姿勢変化により生じる前記撮影画面内における前記特定被写体の前記存在位置のずれを検出するずれ検出部と、
前記ずれ検出部により検出された前記ずれに関する情報を、前記スルー画像上に表示する表示制御部と
を備えることを特徴とする撮像装置。
【請求項２】
前記第１フォーカス位置は、前記主要被写体の所定の位置に合焦させる位置であることを特徴とする請求項１記載の撮像装置。
【請求項３】
前記ずれ検出部は、前記フォーカシングレンズの合焦位置を前記主要被写体の所定の位置とした際の前記姿勢検出部の検出値を基準値とし、前記姿勢検出部の検出値の前記基準値との差に基づいて構図のずれを検出することを特徴とする請求項２記載の撮像装置。
【請求項４】
前記表示制御部は、前記ずれが所定値以上となった場合に、前記ずれに関する情報を表示することを特徴とする請求項３記載の撮像装置。
【請求項５】
前記表示制御部は、前記ずれを手振れ補正機能では補正できない場合に、前記ずれに関する情報を表示することを特徴とする請求項４記載の撮像装置。
【請求項６】
前記ずれに関する情報は、前記姿勢変化による前記主要被写体の前記撮影画面内における前記存在位置のずれが生じる前に、前記主要被写体が前記撮影画面内で存在していた位置を表示する第１マークと、前記姿勢変化後に前記主要被写体が存在する前記撮影画面内の位置を表示する第２マークと、を含むことを特徴とする請求項１〜請求項５の何れか一項に記載の撮像装置。
【請求項７】
前記ずれに関する情報は、該撮像装置を動かすべき方向を使用者に告知する情報を含むことを特徴とする請求項６記載の撮像装置。
【請求項８】
三脚の接続を検出する接続検出部を備え、
前記接続検出部により前記三脚の接続が検出されている場合には、前記表示制御部は、前記ずれに関する情報を前記表示部に表示させないことを特徴とする請求項１〜請求項７の何れか一項に記載の撮像装置。
【発明の詳細な説明】
【技術分野】
【０００１】
本発明は、動画像を記録可能な撮像装置に関するものである。
【背景技術】
【０００２】
動画撮影中に撮像装置の向きが変化し撮影対象が画角から外れた場合に、画面上にガイドを表示する撮像装置が知られている（例えば、特許文献１参照）。この撮像装置においては、撮影された画像中の撮影対象を検出して追跡し撮影対象の移動方向を案内するガイドの表示を行っている。
【先行技術文献】
【特許文献】
【０００３】
【特許文献１】特開２００７−１２９４８０号公報
【発明の概要】
【発明が解決しようとする課題】
【０００４】
ところで、目標となる被写体に合焦させた状態から非合焦の状態へ、または非合焦の状態から目標となる被写体に合焦させた状態へ、合焦の状態を変化させることにより印象的な動画を所望の構図で撮影したいという要望がある。このような撮影においては、動画の撮影中に撮像装置の姿勢や向きが変化することによる構図の変化を認識することが困難な場合があった。
【０００５】
本発明の目的は、所望の構図で印象的な動画を撮影することができる撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明に係る撮像装置は、フォーカシングレンズ（６）を含む撮影光学系（４）を介した被写体光を撮像する撮像素子（１２）と、前記撮像素子からの撮像信号に基づくスルー画像を表示する表示部（２０）と、前記フォーカシングレンズを、第１のフォーカス位置と第２のフォーカス位置との間で移動制御する移動制御部（８）と、前記移動制御部により、前記フォーカシングレンズを前記第１のフォーカス位置から前記第２のフォーカス位置に、または前記第２のフォーカス位置から前記第１のフォーカス位置に移動させた動画像データを前記撮像素子からの撮像信号に基づいて作成する動画像データ作成部（１０）と、前記動画像データ作成部により作成された動画像データを記録させる記録制御部（１０）と、前記表示部に表示されるスルー画像から特定被写体を特定する特定被写体特定部（１４）と、前記表示部に表示されている前記特定被写体の撮影画面内における存在位置を検知する検知部（１０）と、該撮像装置の姿勢を検出する姿勢検出部（１６）と、前記姿勢検出部により前記姿勢に変化が生じていることが検出された場合には、当該姿勢変化により生じる前記撮影画面内における前記特定被写体の前記存在位置のずれを検出するずれ検出部（１０）と、前記ずれ検出部により検出された前記ずれに関する情報を、前記スルー画像上に表示する表示制御部（２２）とを備えることを特徴とする。
【発明の効果】
【０００８】
本発明に係る撮像装置によれば、所望の構図で印象的な動画を撮影することができる。
【図面の簡単な説明】
【０００９】
【図１】本発明の第１の実施の形態に係る電子カメラのシステム構成を示すブロック図である。
【図２】本発明の第１の実施の形態に係る電子カメラの動画像の撮影処理を示すフローチャートである。
【図３】本発明の第１の実施の形態に係る電子カメラの撮影画面内における主要被写体の基準位置を示す図である。
【図４】本発明の第１の実施の形態に係る電子カメラの表示部における表示内容を示す図である。
【図５】本発明の第１の実施の形態に係る電子カメラの第１ポインタ及び第２ポインタの重畳表示処理を示すタイムチャートである。
【図６】本発明の第１の実施の形態に係る電子カメラの姿勢の変化と表示部における表示内容との関係を示す図である。
【図７】本発明の第２の実施の形態に係る電子カメラの動画像の撮影処理を示すフローチャートである。
【図８】本発明の他の実施の形態に係る電子カメラの表示部における表示内容を示す図である。
【図９】本発明の他の実施の形態に係る電子カメラの第１ポインタ及び第２ポインタの重畳表示処理を示すタイムチャートである。
【発明を実施するための形態】
【００１０】
以下、図面を参照して本発明の実施の形態に係る撮像装置として電子カメラについて説明する。図１は、実施の形態に係る電子カメラのシステム構成を示すブロック図である。電子カメラ２には、フォーカシングレンズ６、フォーカシングレンズ６を光軸方向に駆動させるフォーカシングレンズ駆動部８等を備えた撮影レンズ４が装着されている。
【００１１】
フォーカシングレンズ駆動部８は、電子カメラ２（後述する制御部１０）からの制御に従いフォーカシングレンズ６を駆動させる。なお、この実施の形態においては、撮影レンズ４が電子カメラ２に対して着脱可能なレンズ交換式の電子カメラを例に挙げて説明するが、レンズ一体式の電子カメラであってもよい。また、この実施の形態においては、静止画像及び動画像が撮影可能な電子カメラを例に挙げて説明するが、動画像のみ撮影可能な電子カメラであってもよい。
【００１２】
電子カメラ２は、マイクロプロセッサ等により構成され、電子カメラ２の各部を統括的に制御する制御部１０を備えている。制御部１０には、撮像素子１２、被写体検出部１４、姿勢センサ１６、手振れ補正部１７、記録媒体１８、表示部２０、表示制御部２２、操作部２４、及び記憶部２６が接続されている。
【００１３】
撮像素子１２は、ＣＣＤまたはＣＭＯＳ等により構成され、撮影レンズ４を介した被写体光を撮像して撮像信号を制御部１０に対して出力する。制御部１０は、撮像素子１２からの撮像信号をアナログ信号からデジタル信号に変換し、デジタル信号から画像データを作成する。ＣＭＯＳ型撮像素子の場合は、直接デジタル信号を出力する場合もある。
【００１４】
また、制御部１０は、作成された画像データのコントラスト値を検出し、検出されたコントラスト値に基づいてコントラスト方式のオートフォーカスを行う。具体的には、フォーカシングレンズ駆動部８を介してフォーカシングレンズ６を光軸方向に移動させることにより合焦位置を調節する。被写体検出部１４は、フォーカシングレンズ６の合焦位置における主要被写体を検出する。
【００１５】
姿勢センサ１６は、６軸の姿勢センサであり、電子カメラ２の姿勢を上下左右方向の移動及び回転に関して検出し制御部１０に対して出力する。手振れ補正部１７は、姿勢センサ１６からの出力に基づいて撮影時の手振れを画像処理等により補正する。
【００１６】
記録媒体１８は、電子カメラ２に設けられたカードスロット（図示せず）に着脱可能に装着される可搬性を有する記録媒体であり、例えば、ＣＦカード、ＳＤカード、スマートメディア等が用いられる。記録媒体１８には、制御部１０において作成された画像データ等が記録される。
【００１７】
表示部２０は、電子カメラ２の背面部に配置されるＬＣＤ等により構成されるモニタまたはＥＶＦ等により構成され、撮像素子１２からの撮像信号に基づくスルー画像、記録媒体１８に記録されている画像データに基づく静止画像や動画像、電子カメラ２内の不図示のメモリに記憶されている撮影に関する情報等を表示する。また、表示制御部２２は、表示部２０に表示するスルー画像、静止画像や動画像、撮影に関する情報等の表示制御を行う。
【００１８】
操作部２４は、電子カメラ２の電源をオン／オフする電源スイッチ、動画像の記録を開始する際に操作されるレリーズボタン、表示部２０にメニュー等を表示させるためのメニューボタン、メニュー項目等の選択や様々な設定時に操作される十字キー、メニュー項目等の選択や様々な設定に対する確定操作を行うための決定ボタン（ＯＫボタン）等を含んで構成されている。
【００１９】
記憶部２６は、主要被写体の撮影画面内における基準位置及び姿勢センサ１６から出力される動画像の撮影開始時の電子カメラ２の初期姿勢及び電子カメラの姿勢変化と撮影画面における位置変化の関係を示すテーブル等を記憶する。
【００２０】
この第１の実施の形態に係る電子カメラ２では、制御部１０においてフォーカシングレンズ６の駆動を制御することにより、目標被写体に対する非合焦の状態から目標被写体に合焦させた状態へ徐々に変化する動画像を、所望の構図で撮影することができる。以下、図２に示すフローチャートを参照して、第１の実施の形態に係る電子カメラ２において上述の動画像を撮影する際の処理について説明する。
【００２１】
メニュー操作により操作者が動画撮影モードを設定すると、撮像素子１２から出力される撮像信号に基づいて表示部２０におけるスルー画像の表示が開始される。この状態において制御部１０は、レリーズボタンの半押し操作を受け付けると、フォーカシングレンズ駆動部８を制御してフォーカシングレンズ６をスルー画像に含まれている被写体に合焦させた状態となる位置（以下、第１の位置という。）まで移動させ合焦動作を行う（ステップＳ１０）。このとき、制御部１０は表示制御部２２を制御して表示部２０に合焦状態を報知するための表示を行う。例えば、合焦時には「○」、非合焦時には「×」を表示する。
【００２２】
次に、制御部１０はレリーズボタンの全押し操作を受け付けると、撮影シーケンスを開始する（ステップＳ１１）。なお、この時点では、撮影シーケンスは開始されるが動画像データの記録は行わない。また、制御部１０は、被写体検出部１４を制御して合焦している被写体の中から主要被写体（特定被写体／目標被写体）を特定し、主要被写体上の所定の部位の、撮影画面内における存在位置を、基準位置として検知する（ステップＳ１２）。ここで、主要被写体が人物である場合には、被写体検出部１４は例えば、眉、目、鼻等の端点、顔の輪郭点等の特徴点を抽出することにより人物の顔を検出し、人物３２の右目または左目の撮影画面における存在位置２７を、基準位置として検知する。なお、図３は、人物３２の右目の撮影画面内における位置を基準位置（初期の存在位置）２７として検出した場合を示している。
【００２３】
制御部１０は、検知した基準位置（初期の存在位置）２７を記憶部２６に記憶させ（ステップＳ１３）、また、このとき姿勢センサ１６から出力される電子カメラ２の初期姿勢を記憶部２６に記憶させる（ステップＳ１４）。次に、図３に示すように主要被写体である人物３２の右目に基準位置を示す十字ポインタ（第１ポインタ）２８を表示する（ステップＳ１５）。
【００２４】
また、制御部１０はフォーカシングレンズ駆動部８を制御してフォーカシングレンズ６の位置を第１の位置から主要被写体が非合焦状態となる所望の位置（以下、第２の位置という。）へ駆動させる（ステップＳ１６）。ここで、この実施の形態においては、フォーカシングレンズ６をデフォーカス量で５０μｍ近距離側に移動させる。なお、この移動量は予め定められた任意の量であり、例えば印象に残る画像とするためにボケの効果を用いる場合には主要被写体が撮影レンズ４の被写界深度外となるように移動量を定めることが好ましい。
【００２５】
制御部１０は、姿勢センサ１６から出力される検出値に基づいて電子カメラ２の姿勢の変化を常時検出し、ステップＳ１４で記憶した初期姿勢との差分の算出処理を開始する（ステップＳ１７）。また、図４に示すように制御部１０は算出した差分に基づいて表示制御部２２を制御して、表示部２０に表示されたスルー画像上にステップＳ１２において検知した主要被写体である人物３２の撮影画面内における基準位置２７を示す第１ポインタ２８に加え、電子カメラ２の姿勢変化後における主要被写体の、撮影画面内における移動位置を示す十字ポインタ（第２ポインタ）３０の重畳表示処理を開始する（ステップＳ１８）。また、制御部１０は表示制御部２２を制御して第１ポインタ２８と第２ポインタ３０の間に矢印３４を表示する。この矢印３４は、撮影者が所望の構図に構図を戻す際の電子カメラ２の移動方向を示している。なお、図４においては人物３２が非合焦状態であることを、人物３２を破線で示すことにより表現している。
【００２６】
ここで、ステップＳ１８においては図５のタイムチャート及び図６（ａ）に示すように、姿勢センサ１６の出力から検出される電子カメラの撮影光軸の位置とステップＳ１４で記憶した初期姿勢における撮影光軸の位置との差分θが２°以上など所定値以上である場合には、構図が所望の構図からずれたと判定し、制御部１０は表示制御部２２を制御して表示部２０に表示されたスルー画像上に第２ポインタ３０を重畳表示させる。このとき、既青色で表示されている第１ポインタ２８を黄色に変更し、第２ポインタ３０は赤色の十字形状で表示するなど、第１ポインタ２８と第２ポインタ３０の色を異ならせて表示する。
【００２７】
また、図５のタイムチャート及び図６（ａ）に示すように、第１ポインタ２８及び第２ポインタ３０の表示を行っている際に、姿勢センサ１６の出力から検出される電子カメラ２の撮影光軸の位置とステップＳ１４で記憶した初期姿勢における撮影光軸の位置との差分θが２°以下など所定値以下となった場合には、制御部１０は表示制御部２２を制御して第２ポインタ３０の表示を終了し、第１ポインタ２８を青色で表示して、初期姿勢からのずれが所定値以下となったことを撮影者に報知する。
【００２８】
なお、図６（ｂ）に示すように電子カメラ２は差分θと撮像素子１２に結像される主要被写体の像の位置変化Ｘの関係を示すテーブルを記憶部２６に記憶している。従って、テーブルを参照して、姿勢センサ１６の出力から検出される撮影光軸の位置に基づき算出される差分を用いて撮影画面内における第２ポインタ３０を表示すべき位置を求めることができる。例えば、図６（ｃ）に示すように初期姿勢において撮影画面内に示す位置に主要被写体３６及び基準位置２７が存在する場合に、電子カメラ２の撮影方向がずれたことにより所定値以上の差分αを検出し破線で示す位置が主要被写体３６の位置であることを算出すると、制御部１０は表示制御部２２を制御して、テーブルを参照して得られた差分αに対応する画素数ａの分だけ基準位置２７からずらした位置に第２ポインタ３０を重畳表示させる。なお、このとき基準位置２７の位置に表示されている第１ポインタ２８の重畳表示を継続する。
【００２９】
ここで、姿勢センサ１６の出力から検出される電子カメラ２の撮影光軸の位置とステップＳ１４で記憶した初期姿勢における撮影光軸の位置との差分が０．５°〜１．５°などの所定値以下である場合には、制御部１０は手振れ補正部１７を用いて手振れ補正を行う。即ち、電子カメラ２の撮影方向がずれた場合であっても手振れ補正が可能である場合には手振れ補正を行い、手振れ補正が可能でない場合には表示部２０に表示されるスルー画像上に第１ポインタ２８及び第２ポインタ３０の重畳表示を行う。
【００３０】
次に、制御部１０は動画像の記録を開始する（ステップＳ１９）。このとき、制御部１０はフォーカシングレンズ駆動部８を制御してフォーカシングレンズ６を第２の位置から第１の位置まで駆動させる（ステップＳ２０）。また、この場合の駆動時間は印象に残る画像とするための効果的な時間を用いる。例えば、この実施の形態においては駆動時間を５００ｍｓとする。なお、第１ポインタ２８及び第２ポインタ３０は、撮影者の動画撮影をアシストするために表示部２０に表示されるものであり、記録媒体１８に記録させる動画像には含まれない。
【００３１】
次に、制御部１０は１〜３秒等、ステップＳ１９における動画像の記録開始から予め定められた録画時間が経過すると動画像の記録を終了する（ステップＳ２１）。なお、録画時間は任意の時間でよいが、ステップＳ２０におけるフォーカシングレンズ６の駆動時間よりも長く設定されている。
【００３２】
また、制御部１０は、ステップＳ２１における動画像の記録終了と同時に、ステップＳ１７において開始した差分の算出処理及びステップＳ１５において開始した第１ポインタ２８の重畳表示処理、ステップＳ１８において開始した第２ポインタ３０の重畳表示処理を終了する（ステップＳ２２）。
【００３３】
この第１の実施の形態に係る電子カメラによれば、電子カメラの向きが変化した場合であっても撮影者の所望の構図で印象的な動画を撮影することができる。また、被写体が非合焦の状態となった場合であっても撮影者は所望の構図を保つことができる。
【００３４】
なお、上述の実施の形態においては、第１ポインタ２８と第２ポインタ３０とを色を異ならせて表示する構成としたが、例えば第１ポインタ２８を十字形状で、第２ポインタ３０を丸形状で表示する等、デザインを異ならせて表示する構成としてもよい。
【００３５】
次に、図面を参照して本発明の第２の実施の形態に係る電子カメラについて説明する。この第２の実施の形態に係る電子カメラにおいては、第１の実施の形態に係る電子カメラ２の構成と同一の構成を有しているため、その説明を省略し、同一の構成には同一の符号を用いて説明を行う。
【００３６】
この第２の実施の形態に係る電子カメラ２では、制御部１０においてフォーカシングレンズ６の駆動を制御することにより、目標被写体に合焦させた状態から非合焦の状態へ徐々に変化する動画像を撮影者の所望の構図で撮影することができる。以下、図７に示すフローチャートを参照して、電子カメラ２において上述の動画像を撮影する際の処理について説明する。
【００３７】
メニュー操作により操作者が動画像撮影モードを設定すると、撮像素子１２から出力される撮像信号に基づいて表示部２０におけるスルー画像の表示が開始される。この状態において制御部１０は、レリーズボタンの半押し操作を受け付けると、フォーカシングレンズ駆動部８を制御してフォーカシングレンズ６を第１の位置まで移動させる合焦動作を行う（ステップＳ３０）。このとき、制御部１０は表示制御部２２を制御して表示部２０に合焦状態を報知するための表示を行う。例えば、合焦時には「○」、非合焦時には「×」を表示する。
【００３８】
次に、制御部１０は、レリーズボタンの全押し操作を受け付けると、撮影シーケンスを開始すると共に動画像の記録を開始する（ステップＳ３１）。また、制御部１０は、主要被写体の撮影画面内における基準位置の検知（ステップＳ３２）、検知した基準位置の記憶（ステップＳ３３）、初期姿勢の記憶（ステップＳ３４）及び第１ポインタの重畳表示処理の開始する（ステップＳ３５）。ここで、ステップＳ３０、ステップＳ３２〜Ｓ３５に示す処理は図２のステップＳ１０、ステップＳ１２〜Ｓ１５に示す処理とそれぞれ同様であるため説明は省略する。
【００３９】
次に、制御部１０はフォーカシングレンズ駆動部８を制御してフォーカシングレンズ６の第１の位置から第２の位置への駆動を開始させる（ステップＳ３６）。また、このとき制御部１０は、ステップＳ３４で記憶した初期姿勢と姿勢センサ１６の出力から検出される電子カメラ２の姿勢との差分の算出処理を開始し（ステップＳ３７）、算出した差分に基づいて第１ポインタ２８及び第２ポインタ３０の重畳表示処理を開始する（ステップＳ３８）。このステップＳ３７及びＳ３８に示す処理は、図２のステップＳ１７及びＳ１８に示す処理とそれぞれ同様であるため説明は省略する。
【００４０】
フォーカシングレンズ６が第２の位置に到達すると、制御部１０はフォーカシングレンズ駆動部８を介したフォーカシングレンズ６の駆動を終了する（ステップＳ３９）。ここで、フォーカシングレンズ６の第１の位置から第２の位置への駆動時間は印象に残る画像とするための効果的な時間を用いる。例えば、この実施の形態においては駆動時間を５００ｍｓとする。
【００４１】
次に、制御部１０は１〜３秒等、ステップＳ３１における動画像の記録開始から予め定められた録画時間が経過すると動画像の記録を終了する（ステップＳ４０）。なお、録画時間は任意の時間でよいが、フォーカシングレンズ６の駆動時間よりも長く設定されている。また、制御部１０は、ステップＳ４０における動画像の記録終了と同時に、ステップＳ３７において開始した初期姿勢との差分算出処理、ステップＳ３５において開始した第１ポインタ２８の重畳表示処理及びステップＳ３８において開始した第２ポインタ３０の重畳表示処理を終了する（ステップＳ４１）。
【００４２】
この第２の実施の形態に係る電子カメラによれば、電子カメラの向きが変化した場合であっても撮影者の所望の構図で印象的な動画を撮影することができる。
【００４３】
なお、上述の各実施の形態においては、電子カメラ２が姿勢センサ１６を備える構成としたが、撮影レンズ４が姿勢センサを備える構成としてもよい。
【００４４】
また、上述の各実施の形態においては、姿勢センサ１６からの出力に基づいて所定値以上の差分を検出した場合に第２ポインタ３０を表示する構成としたが、制御部１０は表示制御部２２を制御して初期姿勢における主要被写体の輪郭を表示部１２に重畳表示させる構成としてもよい。
【００４５】
また、上述の各実施の形態においては、姿勢センサ１６からの出力に基づいて所定値以上の差分を検出した場合に第１ポインタ２８及び第２ポインタ３０を表示する構成としたが、電子カメラ２が三脚に固定されたことを検出した場合には第１ポインタ２８及び第２ポインタ３０の表示を行わない構成としてもよい。
【００４６】
また、上述の各実施の形態では、姿勢センサ１６からの出力に基づき、所定値以上の差分を検出した場合に第１ポインタ２８及び第２ポインタ３０を表示する構成とした。しかしながら、使用者はパンニング撮影（意図的に構図を変更しながら行われる撮影スタイル）を行っている、とカメラが判断した場合には、第１ポインタ２８及び第２ポインタ３０の表示を行わない構成にしてもよい。パンニング撮影であるか否かを識別する手法としては、公知の手法（例えば、カメラにパンニング撮影モードの設定機能があれば、そのパンニング撮影設定がＯＮであるか否かを識別する。また姿勢センサ１６の出力に基づいて、カメラ一方向に一定速度で動いている場合にはパンニング撮影と判断する）を用いるようにすれば良い。
【００４７】
また、上述の各実施の形態においては、１の主要被写体を検出する構成としたが、複数の主要被写体を検出し撮影者の選択により１の主要被写体に決定する構成としてもよい。例えば、図８に示すように人物３２及び花４０を主要被写体として検出した場合には、制御部１０は表示制御部２２を制御して人物３２の撮影画面内における基準位置４６及び花４０の撮影画面内における基準位置４８を示すポインタを表示部２０に表示されているスルー画に重畳表示させる。次に、撮影者が十字キー及び決定ボタン等を用いて基準位置４６または基準位置４８を選択し、主要被写体を決定する。この場合には、非合焦の状態から決定された主要被写体に合焦させた状態へ徐々に変化する動画像、または決定された主要被写体に合焦させた状態から非合焦の状態へ徐々に変化する動画像を撮影者の所望の構図で撮影することができる。
【００４８】
また、上述の各実施の形態においては、制御部１０は図５に示すタイムチャートに従って第１ポインタ２８及び第２ポインタ３０をスルー画像上に重畳表示する構成としたが、図９のタイムチャートに示すように姿勢センサ１６からの出力に基づいて所定値以上の差分を検出すると、制御部１０は第１ポインタ２８及び第２ポインタ３０をスルー画像上に重畳表示する構成としてもよい。このとき、第１ポインタ２８は黄色の十字形状で表示し、第２ポインタ３０は赤色の十字形状で表示するなど、第１ポインタ２８と第２ポインタ３０の色を異ならせて表示する。また、この場合において姿勢センサ１６からの出力に基づいて差分が所定値以下となったことを検出すると、制御部１０は第２ポインタ３０の重畳表示を停止すると共に第１ポインタ２８を青色として表示する。また、差分が所定値以下となったことを検出してから１秒など所定時間経過後に、制御部１０は第１ポインタ２８の表示を停止する。
【符号の説明】
【００４９】
２…電子カメラ、４…撮影レンズ、８…フォーカシングレンズ駆動部、１０…制御部、１２…撮像素子、１４…被写体検出部、１６…姿勢センサ、１８…記録媒体、２０…表示部、２２…表示制御部、２８…第１ポインタ、３０…第２ポインタ
【図１】
2012195804.tif 000003
【図２】
2012195804.tif 000004
【図３】
2012195804.tif 000005
【図４】
2012195804.tif 000006
【図５】
2012195804.tif 000007
【図６】
2012195804.tif 000008
【図７】
2012195804.tif 000009
【図８】
2012195804.tif 000010
【図９】
2012195804.tif 000011